(57)【要約】【課題】ユーザの個別のニーズに対応した必要な機能を備えたディスプレイシステムを実現する。【解決手段】映像信号に基づき映像を表示するディスプレイ装置１０と、ディスプレイ装置１０に接続されることにより映像信号の入出力において所定の機能を果たす機能モジュール２０とを備える。機能モジュール２０は、ディスプレイ装置１０に着脱自在に構成される。ディスプレイ装置１０は、接続された機能モジュール２０の使用に必要な機能アプリケーションを構築するアプリケーション構築部を備える。【選択図】  図１
2005286914.tif 000002
【特許請求の範囲】
【請求項１】
映像信号に基づき映像を表示するディスプレイ装置と、
このディスプレイ装置に着脱自在に構成され、前記ディスプレイ装置に接続されることにより前記映像信号の入出力において所定の機能を果たす少なくとも１つの機能モジュールとを備え、
前記ディスプレイ装置は、接続された機能モジュールの使用に必要な機能アプリケーションを構築するアプリケーション構築部を備えることを特徴とするディスプレイシステム。
【請求項２】
請求項１に記載のディスプレイシステムにおいて、
前記機能モジュールは、前記ディスプレイ装置に接続されたときに前記機能モジュールに固有の識別データを前記ディスプレイ装置へ出力する識別データ出力部を備え、
前記ディスプレイ装置の前記アプリケーション構築部は、入力された識別データに基づき前記ディスプレイ装置に接続された前記機能モジュールを認識することを特徴とするディスプレイシステム。
【請求項３】
映像信号に基づき映像を表示する表示部と、
前記映像信号の入出力において所定の機能を果たす機能モジュールが接続されたときにこの機能モジュールの使用に必要な機能アプリケーションを構築するアプリケーション構築部と
を備えることを特徴とするディスプレイ装置。
【請求項４】
請求項３に記載のディスプレイ装置において、
前記アプリケーション構築部は、前記機能モジュールが接続されたときに入力される前記機能モジュールに固有の識別データに基づき前記機能モジュールを認識することを特徴とするディスプレイ装置。
【請求項５】
映像信号に基づき映像を表示するディスプレイ装置に着脱自在に構成され、前記ディスプレイ装置に接続されることにより前記映像信号の入出力において所定の機能を果たす機能モジュールであって、
前記ディスプレイ装置に接続されたときに固有の識別データを前記ディスプレイ装置へ出力する識別データ出力部を備えることを特徴とするディスプレイ装置用機能モジュール。
【発明の詳細な説明】
【技術分野】
【０００１】
本発明は、映像を表示するディスプレイシステム、並びに、それを構成するディスプレイ装置および機能モジュールに関する。
【背景技術】
【０００２】
近年、ＶＴＲやＤＶＤ、セットトップボックス、ゲーム機、パーソナルコンピュータなど、ディスプレイ装置に接続される映像ソースの数が増加している。また、放送メディアが増加し、放送のメディア改変も進められている。こうした映像ソースおよび放送メディアの多様化に対応するため、ディスプレイ装置は多機能化の傾向にある。
【０００３】
なお、上述した従来技術は、出願人が出願時点で知る限りにおいて文献公知ではない。
また、出願人は、出願時までに本発明に関連する先行技術文献を発見することができなかった。よって、先行技術文献情報を開示していない。
【発明の開示】
【発明が解決しようとする課題】
【０００４】
しかし、ディスプレイ装置の多機能化が進むと、エンドユーザに対して、エンドユーザが求める以上の煩雑な機能や過剰な装備を高価格で提供することとなる。また、メーカー側にとっても、装置開発における設計の煩雑さやそれに伴うコスト増、装置の巨大化は望ましくない。
本発明は、このような課題を解決するためになされたものであり、その目的は、エンドユーザの個別のニーズに対応した必要な機能を備えたディスプレイシステムを実現することにある。
【課題を解決するための手段】
【０００５】
このような目的を達成するために、本発明に係るディスプレイシステムは、映像信号に基づき映像を表示するディスプレイ装置と、このディスプレイ装置に着脱自在に構成され、ディスプレイ装置に接続されることにより映像信号の入出力において所定の機能を果たす少なくとも１つの機能モジュールとを備え、ディスプレイ装置は、接続された機能モジュールの使用に必要な機能アプリケーションを構築するアプリケーション構築部を備えることを特徴とする。
ここで、機能モジュールは、ディスプレイ装置に接続されたときに機能モジュールに固有の識別データをディスプレイ装置へ出力する識別データ出力部を備え、ディスプレイ装置のアプリケーション構築部は、入力された識別データに基づきディスプレイ装置に接続された機能モジュールを認識するものであってもよい。
【０００６】
また、本発明に係るディスプレイ装置は、映像信号に基づき映像を表示する表示部と、映像信号の入出力において所定の機能を果たす機能モジュールが接続されたときにこの機能モジュールの使用に必要な機能アプリケーションを構築するアプリケーション構築部とを備えることを特徴とする。
ここで、アプリケーション構築部は、機能モジュールが接続されたときに入力される機能モジュールに固有の識別データに基づき機能モジュールを認識するものであってもよい。
【０００７】
また、本発明に係る機能モジュールは、映像信号に基づき映像を表示するディスプレイ装置に着脱自在に構成され、ディスプレイ装置に接続されることにより映像信号の入出力において所定の機能を果たす機能モジュールであって、ディスプレイ装置に接続されたときに固有の識別データをディスプレイ装置へ出力する識別データ出力部を備えることを特徴とする。
【発明の効果】
【０００８】
本発明では、ディスプレイ装置と機能モジュールとから構成され、ディスプレイ装置に接続された機能モジュールの使用に必要な機能アプリケーションが構築される。よって、必要な機能を有する機能モジュールを選択してディスプレイ装置に接続することにより、必要な機能を備えたディスプレイシステムを構成することができる。したがって、エンドユーザの個別のニーズに合わせて不要な機能や装備を排除することにより、システムの低価格化や小型化を実現することができる。また、装置開発の効率化を図ることができる。
【発明を実施するための最良の形態】
【０００９】
以下、図面を参照し、本発明の一実施の形態について詳細に説明する。
図１は、本発明の一実施の形態に係るディスプレイシステムの全体構成を概念的に示す図である。この図に示すディスプレイシステムは、映像信号に基づき映像を表示するディスプレイ装置１０と、ディスプレイ装置１０に接続されることにより映像信号の入出力において所定の機能を果たす機能モジュール２０とから構成されている。
ここで、ディスプレイ装置１０は、機能モジュール２０が１個ずつ搭載されるｍ個（ｍは自然数）のスロット１１1，１１2，１１3，１１4，１１5，１１6，・・・，１１mを備えている。
【００１０】
機能モジュール２０は、従来のディスプレイ装置に設けられていた多くの機能や装備をブロック毎にモジュール化したものであり、ディスプレイ装置１０のスロット１１1〜１１mに設けられたプラグ（図示せず）に着脱自在に構成されている。図１には、機能モジュール２０の一例として、アナログチューナ部２１、ディジタルチューナ部２２、ビデオ信号入力部２３、ＲＧＢ入力部２４、高速シリアルバス入出力部２５およびビデオレコーダ２６が設けられている。
【００１１】
これら各種の機能モジュール２１〜２６がそれぞれスロット１１1〜１１6に搭載された状態を図２に示す。
なお、別々のスロットに同種の機能モジュールを搭載してもよい。例えば、スロット１１7および１１8の両方にＢＳチューナ部を搭載してもよい。
また、チューナモジュールとして地上波アナログチューナ部、地上波ディジタルチューナ部、ＢＳチューナ部、ＣＳチューナ部、ＣＡＴＶチューナ部を設けてもよい。また、外部入出力モジュールとして、コンポジット／コンポーネントビデオ信号入力部、ＲＧＢビデオ信号入力部、高速シリアルバス・ビデオデータ信号入出力部、ビデオレコーダビデオ信号入出力部などを設けてもよい。
【００１２】
図３は、ディスプレイ装置１０の構成を示すブロック図である。図３に示すディスプレイ装置１０は、Ａ／Ｖ信号ライン１２を介してスロット１１1〜１１mに接続される映像・音声処理部１３と、制御信号ライン１４を介してスロット１１1〜１１mに接続されるアプリケーション構築部１５と、電源ライン１６を介してスロット１１1〜１１mに接続される電源部１７とを備えている。なお、機能モジュール２０（２１〜２６）をスロット１１1〜１１mにプラグインすることにより、その機能モジュール２０がＡ／Ｖ信号ライン１２、制御信号ライン１４および電源ライン１６に接続される。
【００１３】
ここで、映像・音声処理部１３は、スロット１１1〜１１mにプラグインされた機能モジュール２０からＡ／Ｖ信号ライン１２を介して入力される映像信号に基づき映像を表示するディスプレイと、同様に入力される音声信号に基づき音声を出力するスピーカとを含んでいる。なお、Ａ／Ｖ信号ライン１２にはスロット１１1〜１１mに対応してスイッチ１８1〜１８mが設けられている。
アプリケーション構築部１５は、スロット１１1〜１１mにプラグインされた機能モジュール２０の使用に必要な機能アプリケーションを構築する。
電源部１７は、スロット１１1〜１１mにプラグインされた機能モジュール２０へ電源ライン１６を介して電力を供給する。
【００１４】
図４は、アプリケーション構築部１５の構成を示すブロック図である。図４に示すアプリケーション構築部１５は、演算処理部３１と、プログラム記憶部３２と、テーブル記憶部３３と、Ｉ／Ｆ部３４と、各部３１〜３４を相互に接続するバス３５とを備えている。
ここで、プログラム記憶部３２には、スロット１１1〜１１mに機能モジュール２０がプラグインされたことを自動的に認識するためのプログラム（プラグイン認識プログラム）と、プラグインされているすべての機能モジュール２０の使用に必要な機能アプリケーションを自動的に構築するためのプログラム（機能アプリケーション構築プログラム）とが格納されている。
【００１５】
演算処理部３１は、プログラム記憶部３２からプラグイン認識プログラムを読み出し実行することにより、スロット１１1〜１１mにプラグインされた機能モジュール２０から入力されるモジュールＩＤに基づき、スロット１１1〜１１mに機能モジュール２０がプラグインされたことを認識する。また、プログラム記憶部３２から機能アプリケーション構築プログラムを読み出し実行することにより、プラグインされている機能モジュール２０の使用に必要な機能アプリケーションを構築し、ディスプレイシステムとしての最適化を行う。例えば、プラグインされているチューナモジュールのモジュールＩＤをチューナ登録テーブルに登録し、そのチューナモジュールをチャネル切り換えに割り当てられるようにする。また、プラグインされている外部入出力モジュールのモジュールＩＤを外部入出力登録テーブルに登録し、その外部入出力モジュールを外部入力または外部出力の切り換えに割り当てられるようにする。また、必要に応じて、機能モジュール２０のコンソールパネルなどのアプリケーションを起動する。
【００１６】
テーブル記憶部３３は、スロット１１1〜１１mへの機能モジュール２０のプラグイン認識に用いられるスロット情報テーブルと、上述したチューナ登録テーブルおよび外部入出力登録テーブルなどのテーブルが格納されている。
スロット情報テーブルには、図５（ａ）に示すように、スロット１１1〜１１mに機能モジュール２０がプラグインされると、そのスロット１１1〜１１mの番号１〜ｍに対応してその機能モジュール２０のモジュールＩＤが登録される。
【００１７】
チューナ登録テーブルには、プラグインされたチューナモジュールが登録された順番に、そのモジュールＩＤが登録される。図５（ｂ）には、最初にアナログチューナ部２１が登録され、その次にディジタルチューナ部２２が登録された例が示されている。図５（ｃ）に示すポインタは、チューナ登録テーブルにおいて現在選択されているモジュールＩＤが記録されたアドレス（ｊ＝１，２，・・・）を指し示す。
外部入出力登録テーブルには、プラグインされた外部入出力モジュールが登録された順番に、そのモジュールＩＤが登録される。図５（ｄ）には、ビデオ信号入力部２３、ＲＧＢ入力部２４、高速シリアルバス入出力部２５、ビデオレコーダ２６の順に登録された例が示されている。図５（ｅ）に示すポインタは、外部入出力登録テーブルにおいて現在選択されているモジュールＩＤが記録されたアドレス（ｉ＝１，２，３，４，・・・）を指し示す。
Ｉ／Ｆ部３４は、制御信号ライン１４とのインターフェイスとして機能する。
【００１８】
図６は、機能モジュール２０の構成を示すブロック図である。図６に示す機能モジュール２０は、その機能モジュール２０の主要な機能を実現する機能部（図示せず）の他に、ＩＤ出力部４１を備えている。機能モジュール２０には、その種別に応じて固有のモジュールＩＤ（識別データ）が付与されている。ＩＤ出力部４１は、このモジュールＩＤをディスプレイ装置１０のアプリケーション構築部１５へ出力する。
【００１９】
次に、本実施の形態に係るディスプレイシステムの動作を説明する。
図７を参照し、ディスプレイシステムの起動から停止までの動作を説明する。
ディスプレイ装置１０の電源ＯＮにより（図７のステップＳ１）、ディスプレイ装置１０の立ち上げ処理を行う（図７のステップＳ２）。その後、スロット１１1〜１１mをチェックし（図７のステップＳ３）、スロット１１1〜１１mのいずれかに新たにプラグインされた機能モジュール２０がある場合には、その機能モジュール２０の登録を行う（図７のステップＳ４）。その後、システムを稼動し（図７のステップＳ５）、ディスプレイ装置１０の電源ＯＦＦにより（図７のステップＳ６）、システムを停止させる。
【００２０】
次に、図８および図９を参照し、スロットチェック（図７のステップＳ３）の詳細な手順について更に説明する。
まず、スロット１１1の認識処理を行う（図８のステップＳ１１）。具体的には、スロット１１1に機能モジュール２０がプラグインされ、スロット１１1が使用中である場合には（図９のステップＳ２１，ＹＥＳ）、アプリケーション構築部１５より機能モジュール２０に対し、モジュールＩＤの問合せをする。この問合せに対し、機能モジュール２０からモジュールＩＤが返信される（図９のステップＳ２２）。
【００２１】
モジュールＩＤを受信したアプリケーション構築部１５では、スロット情報テーブルを参照し、スロット番号１のモジュールＩＤと、受信されたモジュールＩＤとを対比する。スロット情報テーブルには、前回のシステム稼働時にプラグインされていた機能モジュールのモジュールＩＤが登録されている。よって、対比した２つのモジュールＩＤが同じ場合には、スロット１１1にプラグインされている機能モジュール２０に変更がないと判定し（図９のステップＳ２３，ＮＯ）、そのまま次のスロット１１2の認識処理に移行する（図８のステップＳ１２）。これに対し、対比した２つのモジュールＩＤが異なる場合には、スロット１１1に新しい機能モジュール２０がプラグインされたと判定し（図９のステップＳ２３，ＹＥＳ）、スロット情報テーブルのスロット番号１にモジュールＩＤを登録し（図９のステップＳ２４）、次のスロット１１2の認識処理に移行する（図８のステップＳ１２）。なお、スロット情報テーブルのスロット番号１が未登録の場合にも同様に（図９のステップＳ２３，ＹＥＳ）、スロット情報テーブルのスロット番号１に受信されたモジュールＩＤを登録する（図９のステップＳ２４）。
【００２２】
また、スロット１１1から機能モジュール２０がプラグアウトされ、スロット１１1が使用中でない場合には（図９のステップＳ２１，ＮＯ）、スロット情報テーブルのスロット番号１の内容を消去し（図９のステップＳ２５）、次のスロット１１2の認識処理に移行する（図８のステップＳ１２）。
このような認識処理をスロット１１2〜１１mについても同様に行う。このようにしてスロットチェックを行うことにより、スロット１１1〜１１mへの機能モジュール２０のプラグインを自動認識することができる。
【００２３】
次に、図１０〜図１２を参照し、モジュール登録（図７のステップＳ４）の詳細な手順について更に説明する。
スロット１１1〜１１mへの機能モジュール２０のプラグインにより、図９のステップＳ２４においてスロット情報テーブルの更新があった場合には（図１０のステップＳ３１，ＹＥＳ）、チューナ登録処理および外部入出力登録処理を順次行う（図１０のステップＳ３２，Ｓ３３）。なお、更新がなかった場合には（図１０のステップＳ３１，ＮＯ）、そのまま次の処理へ移行する（図７のステップＳ５）。
【００２４】
チューナ登録処理では、スロット情報テーブルにチューナモジュールのモジュールＩＤが新規に登録された場合には（図１１のステップＳ４１，ＹＥＳ）、そのモジュールＩＤをチューナ登録テーブルへ追加し（図１１のステップＳ４２）、外部入出力登録処理へ移行する（図１０のステップＳ３３）。これに対し、新規登録がなかった場合には（図１１のステップＳ４１，ＮＯ）、そのまま外部入出力登録処理へ移行する（図１０のステップＳ３３）。
続いて、外部入出力登録処理では、スロット情報テーブルに外部入出力モジュールのモジュールＩＤが新規に登録された場合には（図１２のステップＳ５１，ＹＥＳ）、そのモジュールＩＤを外部入出力登録テーブルへ追加し（図１２のステップＳ５２）、次の処理に移行する（図７のステップＳ５）。これに対し、新規登録がなかった場合には（図１２のステップＳ５１，ＮＯ）、そのまま次の処理へ移行する（図７のステップＳ５）。
【００２５】
このようにしてチューナ登録テーブルに登録することにより、登録されたチューナモジュールがチャネル切り換えに割り当てられる。また、外部入出力登録テーブルに登録することにより、登録された外部入出力モジュールが外部入力または外部出力の切り換えに割り当てられる。したがって、登録された機能モジュール２０の使用に対応するアプリケーションの機能拡張を自動的に行うことができる。
なお、本実施の形態では、別々のスロットにプラグインされた同種の機能モジュールを登録テーブルに登録してもよい。例えば、２つのＢＳチューナが登録された場合には、それぞれのチューナで受信されたＢＳ放送を２画面表示することも可能となる。
【００２６】
次に、図１３および図１４を参照し、システム稼働時（図７のステップＳ５）におけるチューナ切り換え方法について説明する。
ユーザがリモコンまたはディスプレイ装置１０のコンソールキーを用いてチューナの切り換え操作を行うと、アプリケーション構築部１５がチューナ登録テーブルのポインタを参照し、現在選択されているアドレスに対応するモジュールＩＤを検出する。そのポインタが指し示すアドレスが、テーブルの登録有効範囲の最後ではない場合には（図１３のステップＳ６１，ＮＯ）、ポインタをインクリメントする（図１３のステップＳ６２）。また、そのポインタが指し示すアドレスが、テーブルの登録有効範囲の最後の場合には（図１３のステップＳ６１，ＹＥＳ）、ポインタのアドレスを先頭のアドレスに戻す（図１３のステップＳ６３）。このようにして変更されたポインタのアドレスに対応するモジュールＩＤを読み出し、そのＩＤに対応するチューナモジュールに対しチューナ切換本処理を行う（図１３のステップＳ６４）。
【００２７】
チューナ切換本処理では、選択されたチューナモジュールの処理を行う（図１４のステップＳ７０）。チューナモジュールが選択されると、Ａ／Ｖ信号ライン１２に設けられたスイッチ（選択されたチューナモジュールがプラグインされたスロット１１に対応するスイッチ）１８をアプリケーション構築部１５が閉じ、チューナモジュールから映像・音声処理部１３へのＡ／Ｖ信号の出力が可能になる。
以下、具体例として、図１５を参照し、ＢＳチューナモジュールの処理について説明する。
【００２８】
地上波アナログ放送、地上波ディジタル放送、ＢＳ放送、ＣＳ放送、ＣＡＴＶ放送ではコンソールのキー配列がそれぞれ異なる。このため、１つのコンソールですべての放送の選局を行うには、各放送毎にキーへのチャネルの割り付けを変更する必要がある。この例ではＢＳ放送が選択されているので、ディスプレイ装置１０のアプリケーション構築部１５によりコンソールキーモードを切り換え、ＢＳ放送に対応したキー割り付けに変更する（図１５のステップＳ７１）。
ユーザがコンソールキーを用いて選局すると（図１５のステップＳ７２）、ＢＳチューナモジュールより選局されたチャネルの映像が画面に出力される（図１５のステップＳ７３）。また、この画面に放送種別（ＢＳ）の表示が重ねて出力される（図１５のステップＳ７４）。
【００２９】
次に、図１６および図１７を参照し、システム稼働時（図７のステップＳ５）における外部入出力切り換え方法について説明する。
ユーザがリモコンまたはディスプレイ装置１０のコンソールキーを用いて外部入出力の切り換え操作を行うと、アプリケーション構築部１５が外部入出力登録テーブルのポインタを参照し、現在選択されているアドレスに対応するモジュールＩＤを検出する。そのポインタが指し示すアドレスが、テーブルの登録有効範囲の最後ではない場合には（図１６のステップＳ８１，ＮＯ）、ポインタをインクリメントする（図１６のステップＳ８２）。また、そのポインタが指し示すアドレスが、テーブルの登録有効範囲の最後の場合には（図１６のステップＳ８１，ＹＥＳ）、ポインタのアドレスを先頭のアドレスに戻す（図１６のステップＳ８３）。このようにして変更されたポインタのアドレスに対応するモジュールＩＤを読み出し、そのＩＤに対応する外部入出力モジュールに対し外部入出力切換本処理を行う（図１６のステップＳ８４）。
【００３０】
外部入出力切換本処理では、選択された外部入出力モジュールの処理を行う（図１７のステップＳ９０）。外部入出力モジュールが選択されると、Ａ／Ｖ信号ライン１２に設けられたスイッチ（選択された外部入出力モジュールがプラグインされたスロット１１に対応するスイッチ）１８をアプリケーション構築部１５が閉じ、外部入出力モジュールとのＡ／Ｖ信号の入出力が可能になる。
以下、具体例として、図１８を参照し、ビデオレコーダ２６の処理について説明する。
【００３１】
アプリケーション構築部１５によりコンソールキーモードを切り換え、ビデオレコーダに対応したキー割り付けに変更する（図１８のステップＳ９１）。
本実施の形態では、ビデオレコーダ２６にはコントロールパネルが設けられていないので、アプリケーション構築部１５によりビデオレコーダ用のコントロールパネルを画面に表示する（図１８のステップＳ９２）。例えばユーザが画面表示されたコントロールパネルの録画ボタンを選択すると、録画信号がアプリケーション構築部１５からビデオレコーダ２６へ出力され、ビデオレコーダ２６による録画処理が行われる。再生ボタンなどの他のボタンが選択された場合にも、それに応じた処理が行われる（図１８のステップＳ９３）。
【００３２】
以上説明したように、本実施の形態では、エンドユーザが求める機能を有する機能モジュール２０のみを選択してディスプレイ装置１０のスロット１１1〜１１mにプラグインして追加することにより、エンドユーザにとって必要最小限の機能を備えたディスプレイシステムを構成することができる。したがって、エンドユーザの個別のニーズに合わせて不要な機能や装備を排除し、システムの低価格化や小型化を実現することができる。また、装置開発の効率化を図ることができる。
【図面の簡単な説明】
【００３３】
【図１】ディスプレイシステムの全体構成を概念的に示す図である。
【図２】ディスプレイシステムにおいてディスプレイ装置のスロットに機能モジュールが搭載された状態を概念的に示す図である。
【図３】ディスプレイ装置の構成を示すブロック図である。
【図４】アプリケーション構築部の構成を示すブロック図である。
【図５】テーブル記憶部に格納されるテーブルの例を示す図である。
【図６】機能モジュールの構成を示すブロック図である。
【図７】ディスプレイシステムの起動から停止までの動作の流れを示すフローチャートである。
【図８】スロットチェックの流れを示すフローチャートである。
【図９】スロットの認識処理の流れを示すフローチャートである。
【図１０】モジュール登録の流れを示すフローチャートである。
【図１１】チューナ登録処理の流れを示すフローチャートである。
【図１２】外部入出力登録処理の流れを示すフローチャートである。
【図１３】チューナ切り換えの流れを示すフローチャートである。
【図１４】チューナ切換本処理の流れを示すフローチャートである。
【図１５】ＢＳチューナモジュールが選択されたときの処理の流れを示すフローチャートである。
【図１６】外部入出力切り換えの流れを示すフローチャートである。
【図１７】外部入出力切換本処理の流れを示すフローチャートである。
【図１８】ビデオレコーダが選択されたときの処理の流れを示すフローチャートである。
【符号の説明】
【００３４】
１０…ディスプレイ装置、１１1〜１１m…スロット、１２…Ａ／Ｖ信号ライン、１３…映像・音声処理部、１４…制御信号ライン、１５…アプリケーション構築部、１６…電源ライン、１７…電源部、１８1〜１８m…スイッチ、２０…機能モジュール、２１…アナログチューナ部、２２…ディジタルチューナ部、２３…ビデオ信号入力部、２４…ＲＧＢ入力部、２５…高速シリアルバス入出力部、２６…ビデオレコーダ、３１…演算処理部、３２…プログラム記憶部、３３…テーブル記憶部、３４…Ｉ／Ｆ部、３５…バス、４１…ＩＤ出力部。
【図１】
2005286914.tif 000003
【図２】
2005286914.tif 000004
【図３】
2005286914.tif 000005
【図４】
2005286914.tif 000006
【図５】
2005286914.tif 000007
【図６】
2005286914.tif 000008
【図７】
2005286914.tif 000009
【図８】
2005286914.tif 000010
【図９】
2005286914.tif 000011
【図１０】
2005286914.tif 000012
【図１１】
2005286914.tif 000013
【図１２】
2005286914.tif 000014
【図１３】
2005286914.tif 000015
【図１４】
2005286914.tif 000016
【図１５】
2005286914.tif 000017
【図１６】
2005286914.tif 000018
【図１７】
2005286914.tif 000019
【図１８】
2005286914.tif 000020